(57)【特許請求の範囲】
【請求項１】
第１のアンテナに接続される第１のチューナ部と、
第２のアンテナに接続される第２のチューナ部と、
前記第１のチューナ部の出力と前記第２のチューナ部の出力を合成、または選択して第１のＩＦ信号および第２のＩＦ信号を出力するフェーズダイバーシティ処理部と、
前記第１のＩＦ信号の品質を検出する第１の状態検出部と、多重データ信号を取り出す第１ＲＤＳ部を有し、前記第１のＩＦ信号を復調する第１の復調部と、
前記第２のＩＦ信号の品質を検出する第２の状態検出部と、多重データ信号を取り出す第２ＲＤＳ部を有し、前記第２のＩＦ信号を復調する第２の復調部と、
前記第１の復調部から出力される音声信号を処理し、音量出力を調整するミュート機能を有し、前記ミュート機能の単位時間当たりの音量変化量を設定可能な音声信号処理部と、
前記第１のチューナ部と前記第２のチューナ部と前記フェーズダイバーシティ処理部と前記第１の復調部と前記第２の復調部と前記音声信号処理部とに接続された制御部と、
を備えた放送受信装置であって、
前記制御部は、
前記第１の状態検出部と前記第２の状態検出部と、から取得する受信状態を判断した結果に基づいて
前記第１のチューナ部と前記第２のチューナ部を制御して、第１の放送を選局し、前記フェーズダイバーシティ処理部を制御してダイバーシティ動作を行うダイバーシティ受信動作と、
前記第１のチューナ部または前記第２のチューナ部の何れか一方で第１の放送を選局するとともに、他方で第２の放送を探索するよう制御するサーチ動作と、の何れかを選択し、
前記ダイバーシティ受信動作から前記サーチ動作に切り替える場合には、前記音声信号処理部を制御し前記単位時間当たりの音量変化量を小さく設定した後に前記ダイバーシティ受信動作から前記サーチ動作へ切り替え、
前記サーチ動作から前記ダイバーシティ受信動作に切り替える場合には、切り替え後に前記音声信号処理部を制御し、前記単位時間当たりの音量変化量を大きく設定することを特徴とする放送受信装置。
【請求項２】
前記音声信号処理部は、前記制御部によって設定されるオフセットデータによって音声出力を調整するオフセット部を有し、
前記制御部には、ダイバーシティ受信動作時のオフセットデータである第１データとサーチ動作時のオフセットデータである第２データが設定され、
前記制御部は、前記ダイバーシティ受信動作から前記サーチ動作に切り替える場合に前記オフセット部に前記第２データを設定し、
前記サーチ動作から前記ダイバーシティ受信動作に切り替える場合に前記オフセット部に前記第１データを設定することを特徴とする請求項１に記載の放送受信装置。
【請求項３】
前記制御部は、前記ダイバーシティ受信動作から前記サーチ動作に切り替える場合に、前記音声信号処理部を制御し前記単位時間当たりの音量変化量を小さく設定した後に、前記オフセット部に前記第２データを設定してから、前記ダイバーシティ受信動作から前記サーチ動作へ切り替え、
前記サーチ動作から前記ダイバーシティ受信動作に切り替える場合には、切り替え後に
前記オフセット部に前記第１データを設定し、さらに前記音声信号処理部を制御し、前記単位時間当たりの音量変化量を大きく設定することを特徴とする請求項２に記載の放送受信装置。
【発明の詳細な説明】
【技術分野】
【０００１】
本発明は、放送受信装置に関し、特に、２つのチューナを用いてダイバーシティ受信を行う放送受信装置に関する。
【背景技術】
【０００２】
従来から、車両等の移動体において、ＦＭ放送を受信する場合、地形等の影響やマルチパスの影響を受けることで電界強度が大幅に変化し、特に弱電界強度ではＳ／Ｎが著しく低下することが知られている。このような電界強度の変化に対応し、放送受信装置ではオートセパレーシヨン機能やソフトミユート機能などを連続的に動作させることによって雑音低減を行っている。また、マルチパス等のフェージングによる電界強度の変動を軽減するために、複数のアンテナからの受信信号を合成するダイバーシティ受信が一般的に行われている。
【０００３】
特許文献１に記載の放送受信装置９００（従来例）では、図３に示すように、メインチューナ部９１２ａ、サブチューナ部９１２ｂ、を備えている。フェーズダイバーシティ期間では、メインチューナ部９１２ａおよびサブチューナ部９１２ｂは、同一のＲＤＳ放送を選局している。フェーズダイバーシティ期間に、受信状況検出器９２１ａ，９２１ｂでそれぞれ検出した受信状態としての対応受信信号の内、品質が高い方が所定レベル以下になった場合等には、受信状態の良い方のチューナ部に元局を選局させ、受信状態の悪い方のチューナ部でＡＦ（Ａｌｔｅｒｎａｔｉｖｅ  Ｆｒｅｑｕｅｎｃｙ：代替周波数）サーチを行う技術が開示されている。
【先行技術文献】
【特許文献】
【０００４】
【特許文献１】特開２００９‐２４６６５１号公報
【発明の概要】
【発明が解決しようとする課題】
【０００５】
しかしながら、上述した従来例では、ダイバーシティ受信動作から、サーチ動作に切り替えた場合に、ＦＭ復調部に入力されるＩＦ信号が一方のチューナの出力だけになるので、ＩＦ信号のレベルが低下する。このため、ＩＦ信号のレベル変化に応じてソフトミュート動作が行われ、設定される音量が変化してしまうという課題があった。
【０００６】
本発明は、上述した課題を解決するもので、ダイバーシティ受信動作とサーチ動作とを切り替えた場合に生じる音量変化を抑制することができる放送受信装置を提供することを目的とする。
【課題を解決するための手段】
【０００７】
この課題を解決するために、本発明の放送受信装置は、第１のアンテナに接続される第１のチューナ部と、第２のアンテナに接続される第２のチューナ部と、前記第１のチューナ部の出力と前記第２のチューナ部の出力を合成、または選択して第１のＩＦ信号および第２のＩＦ信号を出力するフェーズダイバーシティ処理部と、前記第１のＩＦ信号の品質を検出する第１の状態検出部と、多重データ信号を取り出す第１ＲＤＳ部を有し、前記第１のＩＦ信号を復調する第１の復調部と、前記第２のＩＦ信号の品質を検出する第２の状態検出部と、多重データ信号を取り出す第２ＲＤＳ部を有し、前記第２のＩＦ信号を復調する第２の復調部と、前記第１の復調部から出力される音声信号を処理し、音量出力を調整するミュート機能を有し、前記ミュート機能の単位時間当たりの音量変化量を設定可能な音声信号処理部と、前記第１のチューナ部と前記第２のチューナ部と前記フェーズダイバーシティ処理部と前記第１の復調部と前記第２の復調部と前記音声信号処理部とに接続された制御部と、を備えた放送受信装置であって、前記制御部は、前記第１の状態検出部と前記第２の状態検出部と、から取得する受信状態を判断した結果に基づいて前記第１のチューナ部と前記第２のチューナ部を制御して、第１の放送を選局し、前記フェーズダイバーシティ処理部を制御してダイバーシティ動作を行うダイバーシティ受信動作と、前記第１のチューナ部または前記第２のチューナ部の何れか一方で第１の放送を選局するとともに、他方で第２の放送を探索するよう制御するサーチ動作と、の何れかを選択し、前記ダイバーシティ受信動作から前記サーチ動作に切り替える場合には、前記音声信号処理部を制御し前記単位時間当たりの音量変化量を小さく設定した後に前記ダイバーシティ受信動作から前記サーチ動作へ切り替え、前記サーチ動作から前記ダイバーシティ受信動作に切り替える場合には、切り替え後に前記音声信号処理部を制御し、前記単位時間当たりの音量変化量を大きく設定することを特徴とする。
【０００８】
これによれば、ダイバーシティ受信動作からサーチ動作に切り替える場合には、音声信号処理部を制御し単位時間当たりの音量変化量を小さく設定した後にダイバーシティ受信動作からサーチ動作へ切り替えるので、急激に音量が変化するのを抑えることができる。また、サーチ動作からダイバーシティ受信動作に切り替える場合には、切り替え後に音声信号処理部を制御し、単位時間当たりの音量変化量を大きく設定するので、ダイバーシティ状態に復帰後速やかに元の状態に近い音量に復帰することができる。このため、サーチ動作に切り替えることで第１の復調部に入力される信号の強度の変化に対する音量の変化が小さくなるので、ダイバーシティ受信動作とサーチ動作とを切り替えた場合に生じる音量変化を抑制することができる放送受信装置を提供することができる。
【０００９】
また、本発明の放送受信装置は、前記音声信号処理部は、前記制御部によって設定されるオフセットデータによって音声出力を調整するオフセット部を有し、前記制御部には、ダイバーシティ受信動作時のオフセットデータである第１データとサーチ動作時のオフセットデータである第２データが設定され、前記制御部は、前記ダイバーシティ受信動作から前記サーチ動作に切り替える場合に前記オフセット部に前記第２データを設定し、前記サーチ動作から前記ダイバーシティ受信動作に切り替える場合に前記オフセット部に前記第１データを設定することを特徴とする。
【００１０】
これによれば、ダイバーシティ受信動作とサーチ動作時とで、第１のＩＦ信号の信号強度が大きく異なる場合でもオフセットデータによって音量の差を抑制することができるので、より音量変化を抑制することができる。
【００１１】
また、本発明の放送受信装置は、前記制御部は、前記ダイバーシティ受信動作から前記サーチ動作に切り替える場合に、前記音声信号処理部を制御し前記単位時間当たりの音量変化量を小さく設定した後に、前記オフセット部に前記第２データを設定してから、前記ダイバーシティ受信動作から前記サーチ動作へ切り替え、前記サーチ動作から前記ダイバーシティ受信動作に切り替える場合には、切り替え後に前記オフセット部に前記第１データを設定し、さらに前記音声信号処理部を制御し、前記単位時間当たりの音量変化量を大きく設定することを特徴とする。
【００１２】
これによれば、ダイバーシティ受信動作とサーチ動作とを切り替える場合に、単位時間当たりの音量変化量が小さく設定されている状態でオフセットの設定を変更するので、設定の変更による音量の変化を緩やかにでき、一層音量変化を抑制することができる。
【発明の効果】
【００１３】
本発明によれば、ダイバーシティ受信動作とサーチ動作とを切り替えた場合に生じる音量変化を抑制することができる放送受信装置を提供することができる。
【図面の簡単な説明】
【００１４】
【図１】本発明の実施形態に係る放送受信装置の構成を示すブロック図である。
【図２】本実施形態に係る放送受信装置の動作を説明するフローチャートである。
【図３】従来技術の放送受信装置の構成を示すブロック図である。
【発明を実施するための形態】
【００１５】
［第１実施形態］
以下に本発明の第１実施形態に係る放送受信装置１００について説明する。
【００１６】
まず始めに本実施形態における放送受信装置１００の構成について図１を用いて説明する。図１は本発明の実施形態に係る放送受信装置１００の構成を示すブロック図である。
【００１７】
放送受信装置１００は、図１に示すように、第１のチューナ部１と、第２のチューナ部２と、フェーズダイバーシティ処理部３（図１ではフェーズＤｉｖ．処理部と表記）と、第１の復調部４と、第２の復調部５と、音声信号処理部６と、制御部７と、を備えている。
【００１８】
第１のチューナ部１は、第１のアンテナＡ１に接続されるとともに、フェーズダイバーシティ処理部３と制御部７に接続されている。第１のチューナ部１は第１のアンテナＡ１で受信した放送信号から、制御部７の制御に従って放送を選局し、ＩＦ信号に変換してフェーズダイバーシティ処理部３へ出力する。
【００１９】
第２のチューナ部２は、第２のアンテナＡ２に接続されるとともに、フェーズダイバーシティ処理部３と制御部７に接続されている。第２のチューナ部２は第２のアンテナＡ２で受信した放送信号から、制御部７の制御に従って放送を選局し、ＩＦ信号に変換してフェーズダイバーシティ処理部３へ出力する。
【００２０】
フェーズダイバーシティ処理部３は、第１のチューナ部１と第２のチューナ部２と第１の復調部４と第２の復調部５と制御部７に接続されている。フェーズダイバーシティ処理部３は制御部７によってダイバーシティ動作の動作と非動作の切換え制御される。フェーズダイバーシティ処理部３がダイバーシティ動作をしている場合には、第１のチューナ部１から出力されるＩＦ信号と第２のチューナ部２から出力されるＩＦ信号を合成した信号を第１のＩＦ信号（ＩＦ１）として第１の復調部４へ出力され、第２のＩＦ信号は出力されない。フェーズダイバーシティ処理部３がダイバーシティ動作をしていない場合には、第１のチューナ部１から出力されるＩＦ信号が第１のＩＦ信号（ＩＦ１）として選択されて第１の復調部４へ出力される。また、第２のチューナ部２から出力されるＩＦ信号は第２のＩＦ信号（ＩＦ２）として選択されて第２の復調部５へ出力される。
【００２１】
第１の復調部４は、第１の状態検出部４ａと、第１ＲＤＳ部４ｂと、を有しておりフェーズダイバーシティ処理部３と音声信号処理部６と制御部７に接続されている。第１の復調部４は、フェーズダイバーシティ処理部３から出力される第１のＩＦ信号（ＩＦ１）を復調し、音声信号を音声信号処理部６へ出力する。第１の状態検出部４ａは、第１のＩＦ信号（ＩＦ１）の強度や復調した音声信号のＳ／Ｎ比（信号対雑音比）によって第１のＩＦ信号の品質を検出し、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）信号やＳ／Ｎ比信号として制御部７へ出力する。また、第１ＲＤＳ部４ｂは第１のＩＦ信号（ＩＦ１）から多重データ信号を取り出し、制御部７へ出力する。
【００２２】
第２の復調部５は、第２の状態検出部５ａと、第２ＲＤＳ部５ｂと、を有しておりフェーズダイバーシティ処理部３と制御部７に接続されている。第２の復調部５は、フェーズダイバーシティ処理部３から出力される第２のＩＦ信号を復調する。第２の状態検出部５ａは、第２のＩＦ信号（ＩＦ２）の強度や復調した音声信号のＳ／Ｎ比（信号対雑音比）によって第１のＩＦ信号の品質を検出し、ＲＳＳＩ信号やＳ／Ｎ比信号として制御部７へ出力する。また、第２ＲＤＳ部５ｂは第２のＩＦ信号（ＩＦ２）から多重データ信号を取り出し、制御部７へ出力する。
【００２３】
音声信号処理部６は、オフセット部６ａを有しており、第１の復調部４と制御部７に接続されている。音声信号処理部６は制御部７の制御に従って第１の復調部４から出力される音声信号を処理し、音量出力を調整するミュート機能を有している。音声信号処理部６のミュート機能は、制御部７によって単位時間当たりの音量変化量を設定可能であり、制御部７による制御と設定された単位時間当たりの音量変化量に基づいて音量を徐々に小さくまたは大きく変化させることができる。単位時間当たりの音量変化量が大きい場合にはミュート機能で音量が所定の音量に達するまでに短い時間で追従できる状態となり、単位時間当たりの音量変化量が小さい場合には長く時間が掛る状態となる。
【００２４】
オフセット部６ａは、制御部７によって設定されるオフセットデータによって音声出力を調整する機能を有しており、設定されたオフセットデータに基づいて音量を変化させることができる。なお、オフセットデータが変更されて音量が変化する際には、ミュート機能で設定されている単位時間当たりの音量変化量に従って音量が徐々に小さくまたは大きく変化する。
【００２５】
制御部７は、ＭＰＵ（Ｍｉｃｒｏ  Ｐｒｏｃｅｓｓｉｎｇ  Ｕｎｉｔ）等が用いられ、図示しないタイマ機能やメモリが備えられており、タイマ機能による制御間隔の管理や、制御のための演算結果を記憶することなどを行うことができる。制御部７に備えられたメモリには、制御に必要となる閾値、ダイバーシティ受信動作時のオフセットデータである第１データ、サーチ動作時のオフセットデータである第２データが予め記憶されている。制御部７は、第１のチューナ部１と第２のチューナ部２とフェーズダイバーシティ処理部３と第１の復調部４と第２の復調部５と音声信号処理部６とに接続されており、使用者の選局操作等による操作信号が入力されている。制御部７は、第１のチューナ部１に対して音声放送を受信するように選局の制御し、第１の状態検出部４ａから第１のＩＦ信号（ＩＦ１）の品質として検出したＲＳＳＩ信号やＳ／Ｎ比信号を取得するとともに、第１ＲＤＳ部４ｂから多重データ信号を取得する。また、制御部７は、第２のチューナ部２に対して音声放送を受信するように選局の制御し、第２の状態検出部５ａから第２のＩＦ信号（ＩＦ２）の品質として検出したＲＳＳＩ信号やＳ／Ｎ比信号を取得するとともに、第２ＲＤＳ部５ｂから多重データ信号を取得する。また、制御部７は音声信号処理部６に対し、単位時間当たりの音量変化量とオフセットデータとを設定するとともに、第１のＩＦ信号（ＩＦ１）の信号強度に基づいてミュート機能を制御する。制御部７は、第１のＩＦ信号（ＩＦ１）の信号強度が大きい場合には音量が大きくなり、信号強度が小さくなった場合には音量が小さくなるようミュート機能の制御を行う。
【００２６】
次に、本実施形態の放送受信装置１００の動作について、図１および図２を用いて説明する。図２は本実施形態の放送受信装置１００の動作を説明するフローチャートで、放送受信装置１００の制御部７によって実行される処理手順を示している。図２のフローチャートで示された処理手順は、制御部７に内蔵されているタイマ機能などによって定期的に繰り返して行われる。なお、制御部７に備えられたメモリには受信状態の良否を判定するための閾値として所定の値と、が予め設定されているものとする。
【００２７】
放送受信装置１００は、初期状態で第１のチューナ部１と第２のチューナ部２は、同一の放送を選局しており、フェーズダイバーシティ処理部３はダイバーシティ動作を行っているダイバーシティ受信動作状態として説明を進める。また、ダイバーシティ受信動作状態では、制御部７は音声信号処理部６にミュート機能の単位時間当たりの音量変化量を大きく設定し、オフセット部６ａには、ダイバーシティ受信動作時のオフセットデータである第１データが設定されているものとする。
【００２８】
制御部７は、図２に示すフローチャートの手順Ｓ１で、入力されている操作信号から選局操作の有無を判断し、選局操作がある場合と判断した場合には手順Ｓ２へ移行し、選局操作がないと判断した場合には手順Ｓ５へ移行する。
【００２９】
手順Ｓ２で制御部７は、第１のチューナ部１（図２では第１のＴｕと表記）を制御し選局操作に対応した放送を選局し、手順Ｓ３へ移行する。
【００３０】
手順Ｓ３で制御部７は、第２のチューナ部２（図２では第２のＴｕと表記）を制御して、手順Ｓ２で第１のチューナ部１で選局したのと同じ放送を選局し、手順Ｓ４へ移行する。
【００３１】
手順Ｓ４で制御部７は、フェーズダイバーシティ処理部３を制御してダイバーシティ動作を行うように制御し、手順Ｓ５へ移行する。フェーズダイバーシティ処理部３がダイバーシティ動作を行っている状態では、第１のチューナ部１から出力されるＩＦ信号と第２のチューナ部２から出力されるＩＦ信号が合成されて第１のＩＦ信号（ＩＦ１）として第１の復調部４へ出力されている。
【００３２】
手順Ｓ５は、初期状態から手順Ｓ１で選局操作されていないと判断された場合、または、選局動作され手順Ｓ２から手順Ｓ４で選局およびダイバーシティ動作を開始した場合、の何れかから移行し、ダイバーシティ受信動作している状態となっている。手順Ｓ５に移行してきた段階で第１のチューナ部１と第２のチューナ部２が選局している放送を第１の放送とする。
【００３３】
手順Ｓ５で制御部７は、第１の復調部４が備えている第１ＲＤＳ部４ｂから第１の放送の多重データを取得する。この多重データには第１の放送で放送されているのと同一の番組を放送している他の放送のデータが含まれている。制御部７は取得した第１の放送の多重データを制御部７が有するメモリに記憶し手順Ｓ６へ移行する。
【００３４】
手順Ｓ６で制御部７は、第１の復調部４が備えている第１の状態検出部４ａから受信状態を示すＲＳＳＩ信号やＳ／Ｎ比信号を取得し手順Ｓ７へ移行する。
【００３５】
手順Ｓ７で制御部７は、手順Ｓ６で取得した受信状態を示すＲＳＳＩ信号やＳ／Ｎ比信号と予め設定されて記憶している閾値と、の比較を行い、ＲＳＳＩ信号やＳ／Ｎ比信号が閾値より大きく良好な受信状他と判断した場合には処理を終了する。また、ＲＳＳＩ信号やＳ／Ｎ比信号が閾値より小さく受信状他が低下したと判断した場合には手順Ｓ８へ移行する。
【００３６】
手順Ｓ８で制御部７は、音声信号処理部６を制御しミュート機能の単位時間当たりの音量変化量を小さく設定し、手順Ｓ９へ移行する。単位時間当たりの音量変化量が小さく設定されているので、ミュート機能で徐々に音量が小さくまたは大きく変化し所定の音量に達するまでに長く時間が掛る状態となる。
【００３７】
手順Ｓ９で制御部７は、音声信号処理部６のオフセット部６ａにサーチ動作時のオフセットデータである第２データを設定して手順Ｓ１０へ移行する。第２データは、サーチ動作に切り替えることで第１の復調部４に入力される第１のＩＦ信号（ＩＦ１）が、第１のチューナ部１から出力されるＩＦ信号だけになるために第１のＩＦ信号（ＩＦ１）の信号強度が低下することによる音量の低下分を補うために音量を大きくオフセットして設定する値が設定される。
【００３８】
手順Ｓ１０で制御部７は、フェーズダイバーシティ処理部３を制御しダイバーシティ動作を非動作に設定し手順Ｓ１１へ移行する。フェーズダイバーシティ処理部３はダイバーシティ動作を停止するため、第１のチューナ部１から出力されるＩＦ信号を第１のＩＦ信号（ＩＦ１）として出力し、第２のチューナ部２から出力されるＩＦ信号は第２のＩＦ信号（ＩＦ２）として出力する状態となる。
【００３９】
手順Ｓ１１で制御部７は、手順Ｓ５で取得した第１の放送の多重データに基づいて第２のチューナ部２を制御し、第１の放送で放送されているのと同一の番組を放送している第２の放送を選局し手順Ｓ１２へ移行する。この状態では、第１のチューナ部１で第１の放送を選局するとともに第２のチューナ部２で第２の放送を探索するよう制御するサーチ動作が選択されたこととなる。
【００４０】
手順Ｓ１２で制御部７は、第２の復調部５が備えている第２ＲＤＳ部５ｂから第２の放送の多重データを取得する。この多重データには第２の放送で放送されているのと同一の番組を放送している他の放送のデータが含まれている。制御部７は取得した第２の放送の多重データを制御部７が有するメモリに記憶し手順Ｓ１３へ移行する。
【００４１】
手順Ｓ１３で制御部７は、第２の復調部５が備えている第２の状態検出部５ａから受信状態を示すＲＳＳＩ信号やＳ／Ｎ比信号を取得し手順Ｓ１４へ移行する。
【００４２】
手順Ｓ１４で制御部７は、手順Ｓ１３で取得した受信状態を示すＲＳＳＩ信号やＳ／Ｎ比信号と予め設定されて記憶している閾値と、の比較を行い、ＲＳＳＩ信号やＳ／Ｎ比信号が閾値より大きく良好な受信状他と判断した場合には手順Ｓ１５へ移行する。また、ＲＳＳＩ信号やＳ／Ｎ比信号が閾値より小さく受信状他が良好でないと判断した場合には手順Ｓ１９へ移行する。
【００４３】
手順Ｓ１５では、手順Ｓ１４で第２の放送の受信状態が良好と判断されたため、制御部７は第１のチューナ部１を制御し、第２の放送を選局し手順Ｓ１６へ移行する。
【００４４】
手順Ｓ１６で制御部７は、フェーズダイバーシティ処理部３を制御しダイバーシティ動作を動作に設定し手順Ｓ１７へ移行する。フェーズダイバーシティ処理部３はダイバーシティ動作を行うため、第１のチューナ部１から出力されるＩＦ信号と第２のチューナ部２から出力されるＩＦ信号を合成した信号が第１のＩＦ信号（ＩＦ１）として第１の復調部４へ出力される状態となる。この状態では、第１のチューナ部１と第２のチューナ部２を制御して、第１の放送を選局し、フェーズダイバーシティ処理部３を制御してダイバーシティ動作を行うダイバーシティ受信動作が選択されたこととなる。
【００４５】
手順Ｓ１７で制御部７は、音声信号処理部６のオフセット部６ａにダイバーシティ受信動作時のオフセットデータである第１データを設定して手順Ｓ１８へ移行する。
【００４６】
手順Ｓ１８で制御部７は、音声信号処理部６を制御しミュート機能の単位時間当たりの音量変化量を大きく設定し、処理を終了する。音声信号処理部６は、単位時間当たりの音量変化量が大きく設定されているので、ミュート機能で徐々に音量が小さくまたは大きく変化し所定の音量に達するまでに短い時間で追従できる状態となる。
【００４７】
手順Ｓ１９は、手順Ｓ１４でＲＳＳＩ信号やＳ／Ｎ比信号が閾値より小さく受信状他が良好でないと判断された場合に移行してくる。手順Ｓ１９で制御部７は、手順Ｓ５で取得した第１の放送の多重データに含まれる、第１の放送で放送されているのと同一の番組を放送している他の放送から未サーチの放送があるか確認する。未サーチの放送があると判断した場合には手順Ｓ１１に戻り、手順Ｓ１４までの処理を繰り返し、未サーチの放送がないと判断した場合は手順Ｓ２０へ移行する。
【００４８】
手順Ｓ２０では、手順Ｓ１９で第１の放送の多重データに含まれる、第１の放送で放送されているのと同一の番組を放送している他の放送を全てサーチし、手順Ｓ１４でＲＳＳＩ信号やＳ／Ｎ比信号が閾値より小さく受信状他が良好でないと判断されたこととなる。このため制御部７は第２のチューナ部２を制御し最初に受信していた第１の放送を再度選局し手順Ｓ１６へ移行し、手順Ｓ１８まで順次制御を行って処理を終了する。
【００４９】
以下、本実施形態としたことによる効果について説明する。
【００５０】
本実施形態の放送受信装置１００では、制御部７が、第１の状態検出部４ａと第２の状態検出部５ａと、から取得する受信状態を判断した結果に基づいて第１のチューナ部１と第２のチューナ部２を制御して、第１の放送を選局し、フェーズダイバーシティ処理部３を制御してダイバーシティ動作を行うダイバーシティ受信動作と、第１のチューナ部１または第２のチューナ部２の何れか一方で第１の放送を選局するとともに、他方で第２の放送を探索するよう制御するサーチ動作と、の何れかを選択し、ダイバーシティ受信動作からサーチ動作に切り替える場合には、音声信号処理部６を制御し単位時間当たりの音量変化量を小さく設定した後にダイバーシティ受信動作からサーチ動作へ切り替え、サーチ動作からダイバーシティ受信動作に切り替える場合には、切り替え後に音声信号処理部６を制御し、単位時間当たりの音量変化量を大きく設定するよう構成した。
【００５１】
これにより、制御部７は、ダイバーシティ受信動作からサーチ動作に切り替える場合には、音声信号処理部６を制御し単位時間当たりの音量変化量を小さく設定した後にダイバーシティ受信動作からサーチ動作へ切り替えるので、急激に音量が変化するのを抑えることができる。また、サーチ動作からダイバーシティ受信動作に切り替える場合には、切り替え後に音声信号処理部６を制御し、単位時間当たりの音量変化量を大きく設定するので、ダイバーシティ状態に復帰後速やかに元の状態に近い音量に復帰することができる。このため、サーチ動作に切り替えることで第１の復調部４に入力される信号の強度の変化に対する音量の変化が小さくなるので、ダイバーシティ受信動作とサーチ動作とを切り替えた場合に生じる音量変化を抑制することができる放送受信装置を提供することができる。
【００５２】
また、本実施形態の放送受信装置１００では、音声信号処理部６は、制御部７によって設定されるオフセットデータによって音声出力を調整するオフセット部６ａを有し、制御部７には、ダイバーシティ受信動作時のオフセットデータである第１データとサーチ動作時のオフセットデータである第２データが設定され、制御部７は、ダイバーシティ受信動作からサーチ動作に切り替える場合にオフセット部６ａに第２データを設定し、サーチ動作からダイバーシティ受信動作に切り替える場合にオフセット部６ａに第１データを設定するよう構成した。
【００５３】
これにより、ダイバーシティ受信動作とサーチ動作時とで、第１のＩＦ信号（ＩＦ１）の信号強度が大きく異なる場合でもオフセットデータによって音量の差を抑制することができるので、より音量変化を抑制することができる。
【００５４】
また、本実施形態の放送受信装置１００では、制御部７は、ダイバーシティ受信動作からサーチ動作に切り替える場合に、音声信号処理部６を制御し単位時間当たりの音量変化量を小さく設定した後に、オフセット部６ａに第２データを設定してから、ダイバーシティ受信動作からサーチ動作へ切り替え、サーチ動作からダイバーシティ受信動作に切り替える場合には、切り替え後にオフセット部６ａに第１データを設定し、さらに音声信号処理部６を制御し、単位時間当たりの音量変化量を大きく設定するよう構成した。
【００５５】
これにより、ダイバーシティ受信動作とサーチ動作とを切り替える場合に、単位時間当たりの音量変化量が小さく設定されている状態でオフセットの設定を変更するので、設定の変更による音量の変化を緩やかにすることができ、一層音量変化を抑制することができる。
【００５６】
以上のように、本発明の実施形態に係る放送受信装置１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５７】
（１）本実施形態において、第１の復調部４は、第１のＩＦ信号（ＩＦ１）を復調し、音声信号を音声信号処理部６へ出力する例を示して説明を行ったが、音声信号はデジタル信号に変換された音声データ信号でもアナログの音声信号であっても良い。
【００５８】
（２）本実施形態において、制御部７に備えられたメモリには、第１データおよび第２データが予め記憶されている例を示して説明したが、ＩＦ信号の信号強度から演算して第１データおよび第２データを変更するようにしても良い。
【００５９】
（３）本実施形態において、サーチ動作の状態で第１の放送から取得した多重データに基づいて順次サーチを行う例を示して説明を行ったが、多重データに含まれる放送を分割し、サーチ動作とダイバーシティ動作を交互に行うように変形して実施してもよい。
【符号の説明】
【００６０】
１      第１のチューナ部
２      第２のチューナ部
３      フェーズダイバーシティ処理部
４      第１の復調部
４ａ    第１の状態検出部
４ｂ    第１ＲＤＳ部
５      第２の復調部
５ａ    第２の状態検出部
５ｂ    第２ＲＤＳ部
６      音声信号処理部
６ａ    オフセット部
７      制御部
Ａ１    第１のアンテナ
Ａ２    第２のアンテナ
【図１】
0006261084.tif 000002
【図２】
0006261084.tif 000003
【図３】
0006261084.tif 000004